(57)【要約】  複数のユーザが共有して使用する録画再生装置であって、より多くのユーザに有益となるコンテンツを提供できる録画再生装置を提供するために、録画再生装置１００に、操作情報やユーザ識別情報を取得する操作情報取得手段１０１と、ユーザを識別するユーザ識別手段１０２と、ユーザの嗜好に関する情報である嗜好情報を生成する嗜好情報生成手段１０３と、録画予約・再生といった操作の結果得られる操作結果情報を取得する操作結果情報取得手段１０４と、ユーザポイントを算出するユーザポイント算出手段１０５と、嗜好情報の優先順位を決定する嗜好情報順位付け手段１０６と、を備える。
2009069172.tif 000002
【特許請求の範囲】
【請求項１】
任意の番組コンテンツを受信して録画あるいは再生を行なう録画再生装置において、
特定の番組コンテンツに対する録画あるいは再生の操作に関する操作情報を取得する操作情報取得手段と、
ユーザを識別するユーザ識別情報からユーザの識別を行なうユーザ識別手段と、
前記操作情報で特定される番組コンテンツに関連する番組情報からキーワードを抽出し、前記ユーザ毎に前記キーワードからなる嗜好情報を生成する嗜好情報生成手段と、
前記操作情報にしたがって録画・再生処理を行なった結果得られる操作結果情報を取得する操作結果情報取得手段と、
前記操作結果情報から前記ユーザ間の優先順位を決定するユーザポイントを算出するユーザポイント算出手段と、
該ユーザポイントに応じて前記嗜好情報に優先順位を決定する嗜好情報順位付け手段と、
を備える録画再生装置。
【請求項２】
前記優先順位の順に前記嗜好情報内のキーワードと一致、または該キーワードを番組情報に含む番組コンテンツを検索し、検出した番組コンテンツを前記優先順位にしたがって表示装置に出力する出力手段、
をさらに備える録画再生装置。
【請求項３】
前記操作結果情報には、前記ユーザによる操作により録画された番組コンテンツの録画時間と、該録画時間に対する視聴時間の割合と、を少なくとも含む、
ことを特徴とする請求項１に記載の録画再生装置。
【請求項４】
前記優先順位付け手段は、前記ユーザポイントが高いユーザの嗜好情報のキーワードから順に優先順位を付ける、
ことを特徴とする請求項１に記載の録画再生装置。
【請求項５】
前記優先順位付け手段は、各ユーザの嗜好情報から一つずつキーワードを取得し、該キーワードについて、前記ユーザポイントが高い順に優先順位を付けていく、
ことを特徴とする請求項１に記載の録画再生装置。
【請求項６】
前記出力手段は、前記ユーザポイントが最も高い前記ユーザの嗜好情報のキーワードを含む情報番組のみを検索し、該番組情報を表示装置に出力する、
ことを特徴とする請求項１に記載の録画再生装置。
【請求項７】
前記嗜好情報間でキーワードを比較し、該比較の結果に応じて前記キーワード毎のポイントであるキーワードポイントを算出するキーワードポイント算出手段、
をさらに備え、
前記優先順位付け手段は、前記ユーザポイントと前記キーワードポイントとに応じて前記番組情報に優先順位を付ける、
ことを特徴とする請求項１に記載の録画再生装置。
【請求項８】
前記嗜好情報には、前記ユーザによる操作により指定された番組情報のジャンルまたは出演者が少なくとも含まれる、
ことを特徴とする請求項７に記載の録画再生装置。
【請求項９】
前記優先順位付け手段は、前記ユーザポイントに前記嗜好ポイントを乗算して得る嗜好値が高い順に優先順位を付ける、
ことを特徴とする請求項８に記載の録画再生装置。
【請求項１０】
複数のユーザが指定した番組情報について録画・再生を行なう録画再生装置において、前記ユーザ毎の嗜好情報に優先順位を付ける方法であって、
特定の番組コンテンツに対する録画・再生の操作に関する操作情報を取得する処理と、
ユーザを識別するユーザ識別情報からユーザの識別を行なう処理と、
前記操作情報で特定される番組コンテンツに関連する番組情報からキーワードを抽出し、前記ユーザ毎に前記キーワードからなる嗜好情報を生成する処理と、
前記操作情報にしたがって録画・再生処理を行なった結果得られる操作結果情報を取得する処理と、
前記操作結果情報から前記ユーザ間の優先順位を決定するユーザポイントを算出する処理と、
該ユーザポイントに応じて前記嗜好情報に優先順位を決定する処理と、
を録画再生装置に行なわせる方法。
【請求項１１】
前記嗜好情報間でキーワードを比較し、該比較の結果に応じて前記キーワード毎のポイントであるキーワードポイントを算出する処理、
をさらに録画再生装置に行なわせて、
前記ユーザポイントと前記嗜好ポイントとに応じて前記番組情報に優先順位を付ける、
ことを特徴とする請求項１０に記載の方法。
【請求項１２】
複数のユーザが指定した番組情報について録画・再生を行なう録画再生装置において、前記ユーザ毎の嗜好情報に優先順位を付けさせるためのプログラムであって、
特定の番組コンテンツに対する録画・再生の操作に関する操作情報を取得する処理ステップと、
ユーザを識別するユーザ識別情報からユーザの識別を行なう処理ステップと、
前記操作情報で特定される番組コンテンツに関連する番組情報からキーワードを抽出し、前記ユーザ毎に前記キーワードからなる嗜好情報を生成する処理ステップと、
前記操作情報にしたがって録画・再生処理を行なった結果得られる操作結果情報を取得する処理ステップと、
前記操作結果情報から前記ユーザ間の優先順位を決定するユーザポイントを算出する処理ステップと、
該ユーザポイントに応じて前記嗜好情報に優先順位を決定する処理ステップと、
を情報処理装置に行なわせるプログラム。
【請求項１３】
前記嗜好情報間でキーワードを比較し、該比較の結果に応じて前記キーワード毎のポイントであるキーワードポイントを算出する処理ステップ、
をさらに情報処理装置に行なわせて、
前記ユーザポイントと前記嗜好ポイントとに応じて前記番組情報に優先順位を付ける、
ことを特徴とする請求項１２に記載のプログラム。
【請求項１４】
ユーザの嗜好に関する情報を用いて、録画あるいは再生の候補となるコンテンツのリストを生成する録画再生装置であって、
前記ユーザを識別する手段と、
該識別されたユーザによるコンテンツの録画・再生状況を判別する手段と、
該判別された録画・再生状況に応じて、前記識別されたユーザに対するユーザポイントを付加する手段と、
前記ユーザ毎の嗜好情報を記録する手段と、
前記ユーザ毎に付加されたユーザポイントを比較して、該比較結果に基づいてユーザ毎の嗜好情報に対する順位付けを行なう手段と、
該順位付けされた嗜好情報に基づいて前記コンテンツのリストを生成する手段と、を有することを特徴とする録画再生装置。
【請求項１５】
前記録画再生装置において、
前記記録する手段を参照して、前記嗜好情報を記録しているユーザ数を判別する手段をさらに備え、
前記順位付けを行なう手段は、前記判別されたユーザ数が多い嗜好情報により高い優先順位を与えるよう動作することを特徴とする請求項１４に記載の録画再生装置。
【発明の詳細な説明】
【技術分野】
【０００１】
本発明は、録画再生装置に関し、特にテレビ放送やインターネット配信等のコンテンツに関する嗜好についてプライオリティ付けを行ない、番組コンテンツの録画あるいは再生を行なう録画再生装置に関する。なお、ここでは、コンテンツの録画あるいは再生の一方のみを行なう装置についても便宜上「録画再生装置」と称する。
【背景技術】
【０００２】
近年、情報・通信技術の発達にともなって、地上波デジタル放送、衛星放送、ネットワーク配信等の手段を用いて様々なコンテンツ（例えば、テレビ番組）を視聴することができるようになってきている。それとともに、コンテンツの録画あるいは再生を行なう録画再生装置も普及してきている。最近では、ユーザの番組コンテンツに関する嗜好を示す情報を記録し、嗜好情報に応じて録画・再生する番組コンテンツの候補を出力する録画再生装置が知られている。ユーザは、出力された番組コンテンツ録画あるいは再生候補一覧から、録画あるいは再生を希望する番組を選択することができる。【０００３】
複数のユーザが１つの録画再生装置を共有して使用する場合、各ユーザの嗜好が異なると、全てのユーザが納得するコンテンツの再生候補一覧等を生成することが難しいという問題があった。【０００４】
上記問題に関連して、特許文献１には、番組予約した番組の放送時間帯が重複した場合、予約をした複数のユーザ間の優先順位にしたがって、番組予約を行なう記録再生装置について開示されている。また、特許文献２には、複数の視聴者により視聴される場合に、全視聴者の嗜好に合う番組を録画し、再生することが容易にできる番組記録再生装置について開示されている。
【特許文献１】特開２００１−２９８６８６号公報
【特許文献２】国際公開ＷＯ０５／０１５９０２号
【発明の開示】
【０００５】
本発明は、上述した問題に鑑みてなされたものであり、その解決しようとする課題は、複数のユーザが共有して使用する録画再生装置であって、より多くのユーザに有益となるコンテンツを提供できる録画再生装置を提供することである。
【０００６】
上記課題を解決するために、本録画再生装置は、任意の番組コンテンツを受信して録画・再生を行なう録画再生装置において、特定の番組コンテンツに対する録画・再生の操作に関する操作情報を取得する操作情報取得手段と、ユーザを識別するユーザ識別情報からユーザの識別を行なうユーザ識別手段と、前記操作情報で特定される番組コンテンツに関連する番組情報からキーワードを抽出し、前記ユーザ毎に前記キーワードからなる嗜好情報を生成する嗜好情報生成手段と、前記操作情報にしたがって録画・再生処理を行なった結果得られる操作結果情報を取得する操作結果情報取得手段と、前記操作結果情報から前記ユーザ間の優先順位を決定するユーザポイントを算出するユーザポイント算出手段と、該ユーザポイントに応じて前記嗜好情報に優先順位を決定する嗜好情報順位付け手段と、を備える。
【０００７】
本録画再生装置によると、嗜好情報生成手段によって、操作情報で特定される番組コンテンツに関連する番組情報からキーワードを抽出して、ユーザ毎にキーワードからなる嗜好情報を生成するので、特別な操作をすることなく各ユーザの嗜好情報を収集蓄積することが可能となる。
【０００８】
また、嗜好情報順位付け手段によって、操作情報にしたがって録画・再生処理を行なった結果得られる操作結果情報から算出したユーザポイントに応じて嗜好情報に優先順位が付けられるので、優先順位付けされた嗜好情報にしたがって番組コンテンツのプレイリスト等を提供することができるようになる。その結果、より多くのユーザの嗜好に合致する番組コンテンツを提示することが可能となる。
【０００９】
以上のように、本発明によると、複数のユーザが共有して使用する録画再生装置であって、より多くのユーザに有益となるコンテンツを提供する録画再生装置を提供することが可能となる。
【図面の簡単な説明】
【００１０】
【図１】本実施例に係る録画再生装置の概要を説明する図である。
【図２】本実施例に係る録画再生装置の構成例を示す図である。
【図３】本実施例に係る録画再生装置の優先付け処理の概要を示すフローチャートである。
【図４】本実施例に係るユーザポイントの算出処理についての具体例を示すフローチャートである。
【図５】本実施例に係る第１の優先順位付け処理について説明する図である。
【図６】本実施例に係る第２の優先順位付け処理について説明する図である。
【図７】本実施例に係る第３の優先順位付け処理について説明する図である。
【図８】本実施例に係るキーワードポイントの算出力についての具体例を示すフローチャートである。
【図９】本実施例に係る優先順位付け処理について説明する図である。
【図１０】本実施例に係る録画再生装置の録画予約処理について説明するフローチャートである。
【図１１】本実施例に係る録画再生装置の再生処理について説明するフローチャートである。
【発明を実施するための最良の形態】
【００１１】
以下、本発明の実施形態について、図１〜図１１に基づいて説明する。
図１は、本実施例に係る録画再生装置１００の概要を説明する図である。
図１に示す録画再生装置１００は、録画予約・再生といったユーザによる操作情報やユーザを識別するユーザ識別情報を取得する操作情報取得手段１０１と、取得されたユーザ識別情報からユーザを識別するユーザ識別手段１０２と、ユーザの嗜好に関する情報である嗜好情報を生成する嗜好情報生成手段１０３と、録画予約・再生といった操作の結果を示す操作結果情報を取得する操作結果情報取得手段１０４と、ユーザ毎に設定されるユーザポイントを算出するユーザポイント算出手段１０５と、嗜好情報の優先順位を決定する嗜好情報順位付け手段１０６と、を備える。【００１２】
また、図１に示す録画再生装置１００は、嗜好情報から番組コンテンツを特定し、優先順位にしたがって番組タイトルのリスト等を作成して表示装置に出力する出力手段１０７をさらに備える。本実施形態による録画再生装置１００は、番組コンテンツに関するユーザの嗜好を示す情報を記録し、記録された嗜好情報に基づいてユーザが興味を持つと推測される番組コンテンツの候補リストを表示出力する。ユーザは、画面上などに表示された番組コンテンツの候補リストを参照して、再生・録画を希望する番組コンテンツを選択することができる。詳細は後述するが、嗜好情報としては各番組コンテンツに対して設定されたキーワードなどが用いられる。また、本実施形態による録画再生装置１００は、ユーザ毎に嗜好情報を集計記録する機能を有する。【００１３】
操作情報取得手段１０１は、例えば、リモコン等によって指示される操作に関する情報であって、特定の番組コンテンツについての録画または再生の操作に関する情報を取得する。【００１４】
同様に、操作情報取得手段１０１は、ユーザを識別するためにユーザ毎にあらかじめ割り当てられたユーザ識別情報を、リモコン等を介して取得する。
ここで、番組コンテンツとは、地上波放送、衛星放送、インターネットや通信ケーブルなどを介して行なわれる放送によって送られる番組のことをいう。なお、放送の提供形態は上記の手段には限定されない。【００１５】
また、操作情報とは、番組コンテンツの録画・再生を指示する情報や、録画予約する番組コンテンツのタイトル（以下、「録画予約タイトル」という）、再生する番組コンテンツのタイトル（以下、「再生タイトル」という）等を含む、録画再生装置に対して行われた操作の内容を示す情報である。【００１６】
ユーザ識別手段１０２は、リモコンなどを介して入力・取得されたユーザ識別番号から、操作を行なったユーザの識別を行なう。例えば、ユーザ毎にあらかじめ割り当てたユーザ識別情報を記憶装置に記憶しておき、必要に応じて当該記憶装置を参照して、取得されたユーザ識別情報に対応するユーザを特定すればよい。なお、ユーザ識別情報は、一例としてユーザがリモコンに設けられたキーを操作することによって入力可能である。【００１７】
嗜好情報生成手段１０３は、例えば、録画予約タイトルや再生タイトルなどの操作情報で特定される番組コンテンツについての番組情報を取得する。そして、嗜好情報生成手段１０３は、取得された番組情報から所定のキーワードを抽出して、ユーザの嗜好情報を生成する。例えば、番組情報が決められたフォーマットで構成されている場合、当該フォーマットにおける番組コンテンツのタイトル、出演者などの項目からキーワードを抽出して嗜好情報とすればよい。【００１８】
ここで、番組情報とは、例えば、電子番組表（ＥＰＧ：Ｅｌｅｃｔｒｏｎｉｃ  Ｐｒｏｇｒａｍ  Ｇｕｉｄｅ）に記録された情報のように、番組コンテンツのタイトル、出演者、ジャンル等、番組コンテンツに関連する内容を含む情報である。嗜好情報として用いる番組情報の種別は任意である。【００１９】
なお、嗜好情報は、ユーザが手動で入力するようにしてもよい。この場合、嗜好情報生成手段１０３は、ユーザが入力する嗜好情報を直接取得すればよい。
操作結果情報取得手段１０４は、操作情報にしたがって録画・再生処理が行なわれた結果得られる情報、例えば、録画した番組タイトルの録画時間（番組の長さ）、番組コンテンツの視聴時間を含む情報（以下、「操作結果情報」という）を取得する。【００２０】
ユーザポイント算出手段１０５は、嗜好情報についてユーザ間の優先順位を決定するためのポイント（以下、「ユーザポイント」という）を算出する。複数のユーザがいる場合、ユーザポイントは、ユーザ毎に算出される。【００２１】
嗜好情報順位付け手段１０６は、嗜好情報生成手段１０３が取得した嗜好情報について、ユーザポイントに応じた優先順位を決定する。本実施例では、ユーザポイントの高いユーザの嗜好情報から順に優先順位の割り当てが行なわれる。【００２２】
出力手段１０７は、嗜好情報のキーワードを含む番組情報を電子番組表などから検索する。そして、検出した番組情報における番組コンテンツを、ユーザポイントに応じて並べ替えたリスト等を生成し、ディスプレイ等の表示装置に出力する。【００２３】
図２は、本実施例に係る録画再生装置１００の構成例を示す図である。
図２に示す録画再生装置１００は、リモコン送信部２０９から操作情報やユーザ識別情報を受信するリモコン受信部２０１と、操作情報に含まれるコマンド、例えば録画予約を指示するコマンド、再生を指示するコマンド、あるいはこれらのコマンドを組み合わせたコマンド群を解析するコマンド解析部２０２と、ユーザ識別情報からユーザを識別するユーザ識別部２０３と、嗜好情報に優先順位付ける優先順位付処理部２０４と、優先順位に応じて番組タイトルのリスト（以下、「プレイリスト」という）を作成するプレイリスト作成部２０５と、番組コンテンツの録画・再生処理を行なう録画再生部２０６と、番組コンテンツを記憶するハードディスクドライブ２０７と、プレイリスト等を映像に合成して表示装置等に出力する画像合成部２０８と、を備える。【００２４】
リモコン送信部２０９は、ユーザ毎に割り当てられたユーザ識別番号をリモコン受信部２０１に通知するとともに、リモコン操作を介してユーザが設定した録画・再生を所望する番組コンテンツを指定し、録画・再生の指示を行なう。番組コンテンツは例えば、番組コンテンツに対応する番組識別番号をリモコン送信部２０９からリモコン受信部２０１に送信して指定するようにしてもよいし、表示装置等に表示した番組表やプレイリスト等から番組コンテンツを特定する情報を選択してもよい。【００２５】
リモコン受信部２０１は、リモコン送信部２０９から送られる操作情報やユーザ識別情報を受信する。そして、リモコン送信部２０９から受信した情報をコマンド解析部２０２に通知する。【００２６】
コマンド解析部２０２は、リモコン送信部２０９から送られた操作情報に含まれるコマンドを解析する。そして、コマンド解析部２０２は、解析されたコマンドに応じて、録画（録画予約）、再生等の処理を行なうために録画再生装置１００の各構成要素に指示を行なう。【００２７】
例えば、録画処理の場合、コマンド解析部２０２は録画再生部２０６に対して、指定の番組コンテンツの録画を指示する。また、再生処理の場合、コマンド解析部２０２はプレイリスト作成部２０５に対して、録画済み番組コンテンツのプレイリストを作成してディスプレイ等に表示するように指示する。そして、リモコン受信部２０１を介して任意の番組コンテンツが選択されると、コマンド解析部２０２は当該番組コンテンツの再生を録画再生部２０６に指示して再生処理を行なう。【００２８】
ユーザ識別部２０３は、リモコン送信部２０９から送られたユーザ識別情報からユーザを特定する。例えば、ユーザ識別部２０３は、あらかじめユーザ毎に記憶しておいたユーザ識別情報とリモコン送信部２０９から送られたユーザ識別情報とを照合して、ユーザを特定する。【００２９】
優先順位付処理部２０４は、嗜好情報を生成する。例えば、優先順位付処理部２０４は、録画・再生する番組コンテンツに関する番組情報をＥＰＧから取得する。そして、ＥＰＧに含まれるジャンル、出演者等の番組コンテンツに関する項目を抽出して嗜好情報とする。【００３０】
また、優先順位付処理部２０４は、嗜好情報に対して優先順位付けを行なう。例えば、録画した番組タイトルの録画時間や再生時間からユーザ毎にユーザポイントを算出し、ユーザポイントに応じて嗜好情報に優先順位付けを行なう。【００３１】
また、優先順位付処理部２０４は、優先順位を付けた嗜好情報をプレイリスト作成部２０５に通知する。
プレイリスト作成部２０５は、優先順位付処理部２０４から通知された嗜好情報に合致する番組タイトルで構成されるプレイリストを生成する。この時、プレイリストの番組タイトルは、優先順位付処理部２０４で決定した優先順位にしたがって並べられる。プレイリスト作成部２０５は、プレイリストを録画再生部２０６に通知する。【００３２】
録画再生部２０６は、コマンド解析部２０２から再生指示を受けると、プレイリスト作成部２０５から通知されたプレイリストを画像合成部２０８に通知し、ディスプレイ等にプレイリストを表示させる。【００３３】
また、プレイリストから番組タイトルが選択されると、録画再生部２０６は、選択された番組タイトルのコンテンツをハードディスクドライブ２０７から読み出して画像合成部２０８に送信する。【００３４】
また、録画再生部２０６は、コマンド解析部２０２から録画指示を受けると、指示された番組コンテンツをハードディスクドライブ２０７に記憶する。
画像合成部２０８は、録画再生部２０６から通知されたプレイリストを所定のフォーマットに加工するとともに、必要に応じて映像や画像と合成してディスプレイ等に出力する。
（第１の実施例）
図３は、本実施例に係る録画再生装置１００の優先付け処理の概要を示すフローチャートである。【００３５】
ステップＳ３０１において、録画再生装置１００は、リモコン受信部２０１がユーザ識別情報を受信すると、録画再生装置１００に対して操作を行なったユーザを特定する。
ステップＳ３０２において、録画再生装置１００は、リモコン受信部２０１が録画予約を示す操作情報を受信すると、操作情報で指定された番組コンテンツについて録画予約の設定を行なう。なお、録画予約とは、例えば、タイマを用いて所望の時刻に所望の番組コンテンツを受信して当該番組コンテンツを録画する処理をいう。録画予約については、一般的な手法を用いればよいので詳細な説明は省略する。【００３６】
なお、録画予約した複数の番組の時間帯が重複する場合、既にステップＳ３０７の処理で決定した嗜好情報の優先順位を参照し、より優先順位の高い嗜好情報を含む番組コンテンツを優先的に録画予約するようにしてもよい。【００３７】
ステップＳ３０３において、録画再生装置１００は、操作情報で特定される番組コンテンツに関する番組情報からキーワードを抽出して、識別されたユーザについての嗜好情報を生成する。録画再生装置１００は例えば、あらかじめ取得しておいたＥＰＧから、操作情報で特定される番組コンテンツに関する情報を取得する。そして、ＥＰＧから取得した情報から、例えば、出演者名、ジャンル等のキーワードを嗜好情報として抽出する。【００３８】
ステップＳ３０４において、録画再生装置１００は、ステップＳ３０２で設定された録画予約にしたがって録画を実行する。指定された番組コンテンツの録画が完了すると、番組タイトル毎に録画時間（以下、「コンテンツ長」という）を記憶する。【００３９】
ここで、リモコン受信部２０１がプレイリストの表示の指示を受けると、録画再生装置１００は、プレイリストを作成して図示しないモニタ等の表示画面上に表示する。この時、
例えば、録画再生装置１００は、ハードディスクドライブ２０７を参照し、録画済み番組コンテンツのリスト（以下、「録画番組リスト」という）を作成する。また、録画再生装置１００は、既にステップＳ３０７の処理で決定した嗜好情報の優先順位を参照する。そして、録画再生装置１００は、優先順位の高い嗜好情報を含む番組コンテンツ順に録画番組リストを並び替えてプレイリストを生成し、当該プレイリストを表示画面上に表示する。【００４０】
なお、プレイリストには、必要に応じて、各番組コンテンツから取得したサムネイル画像情報等を、番組コンテンツ毎に付してもよい。
また、複数のユーザを識別した場合にだけ、既にステップＳ３０７の処理で決定した嗜好情報の優先順位にしたがって並べ替えを行なってプレイリストを生成し、その他の場合には、録画番組リストをプレイリストとして使用してもよい。複数のユーザを識別した場合とは、例えば、一定期間にステップＳ３０１の処理で複数のユーザを識別した場合である。【００４１】
ステップＳ３０５において、録画再生装置１００は、ユーザによりプレイリストから任意の番組タイトルが選択されると、選択された録画済みの番組タイトルをハードディスクドライブ２０７から読み出し、ディスプレイ等の表示装置に出力して再生処理を行なう。【００４２】
または、ユーザからの指示に応じて、操作情報で特定される録画済みの番組をハードディスクドライブ２０７から読み出し、ディスプレイ等の表示装置に出力して再生処理を行なう。【００４３】
この時、録画再生装置１００は、番組タイトルの再生時間を記憶する。そして、番組タイトル毎に録画時間に対する再生時間の割合（以下、「再生割合」という）を算出する。そして、ステップＳ３０４で取得したコンテンツ長とともに、番組タイトル毎に再生割合を記憶装置に、ユーザに対応付けて記憶する。  以上のステップＳ３０４およびＳ３０５で取得した番組タイトル毎のコンテンツ長および再生割合は、ステップＳ３０１で特定したユーザによる操作の結果得られる情報として記憶装置に記憶される。この情報を以下「操作結果情報」という。本実施例に係る操作結果情報はユーザ毎に生成され、ユーザの識別情報と、番組タイトル毎のコンテンツ長と再生割合とを含む。【００４４】
ステップＳ３０６において、録画再生装置１００は、ステップＳ３０４で取得したコンテンツ長と、ステップＳ３０５で算出した再生割合とから、ユーザに対応したユーザポイントを算出する。ユーザポイントの算出方法については後述する。【００４５】
ステップＳ３０７において、録画再生装置１００は、ステップＳ３０６で算出したユーザポイントにしたがって、ステップＳ３０３で取得・蓄積した嗜好情報に優先順位を付ける処理を行なう。【００４６】
図４は、本実施例に係るユーザポイントの算出処理についての具体例を示すフローチャートである。
ステップＳ４０１において、録画再生装置１００は、操作結果情報から任意の番組タイトルを特定する。以下、特定した番組タイトルを「特定番組タイトル」という。そして、特定番組タイトルのコンテンツ長を操作結果情報から取得する。また、ステップＳ４０２において、録画再生装置１００は、特定番組タイトルの再生割合を操作結果情報から取得する。【００４７】
ステップＳ４０３において、録画再生装置１００は、ステップＳ４０２で取得した再生割合が７０％以上か否かを判別する。そして、再生割合が７０％以上の場合、録画再生装置１００は、処理をステップＳ４０４に移行する。そして、ステップＳ４０４にて視聴ポイントＷ＝３と設定する。【００４８】
ステップＳ４０３において、再生割合が７０％未満と判断された場合、録画再生装置１００は、処理をステップＳ４０５に移行する。
ステップＳ４０５において、録画再生装置１００は、ステップＳ４０２で取得した再生割合が５０％以上か否かを判別する。そして、再生割合が５０％以上の場合、録画再生装置１００は、処理をステップＳ４０６に移行する。そして、ステップＳ４０６にて視聴ポイントＷ＝２と設定する。【００４９】
ステップＳ４０５において、再生割合が５０％未満と判断された場合、録画再生装置１００は、処理をステップＳ４０７に移行する。
ステップＳ４０７において、録画再生装置１００は、ステップＳ４０２で取得した再生割合が０より大きいか否かを判別する。そして、再生割合が０より大きい場合、録画再生装置１００は、処理をステップＳ４０８に移行する。そして、ステップＳ４０８にて視聴ポイントＷ＝１と設定する。【００５０】
ステップＳ４０７において、再生割合が０と判断された場合、録画再生装置１００は、処理をステップＳ４０９に移行する。そして、ステップＳ４０９にて視聴ポイントＷ＝０と設定する。なお、再生割合が０とは、当該番組コンテンツが視聴されていないことを示す。  録画再生装置１００は、操作結果情報に含まれる全ての番組タイトルについて、ステップＳ４０１〜Ｓ４０９の処理を実行する。そして、処理をステップＳ４１０に移行する。【００５１】
ステップＳ４１０において、録画再生装置１００は、各番組タイトルのコンテンツ長と視聴ポイントとの積の総和から、ユーザごとのユーザポイントを算出する。
ここで、あるユーザが視聴した番組タイトルＴ１、Ｔ２、Ｔ３、・・・、Ｔｎのコンテンツ長をそれぞれＬ１、Ｌ２、Ｌ３、・・・、Ｌｎ、番組タイトルＴ１、Ｔ２、Ｔ３、・・・、Ｔｎの視聴ポイントをそれぞれＷ１、Ｗ２、Ｗ３、・・・、Ｗｎとすると、当該ユーザのユーザポイントＰは、以下の式で求められる。【００５２】
Ｐ  ＝  Ｌ１＊Ｗ１＋Ｌ２＊Ｗ２＋Ｌ３＊Ｗ３＋・・・＋Ｌｎ＊Ｗｎ    ・・・（１）
本実施例では、式（１）によって算出されるユーザポイントをユーザ毎に算出し、嗜好情報の優先順位付けに算出されたユーザポイントを用いる。【００５３】
このように、図４に示した処理では、番組コンテンツの予約録画を行なうとともに、実際に番組コンテンツを視聴した場合に、視聴ポイントを付与・加算している。特に、視聴ポイントの付与・加算にはユーザの視聴動向を反映させており、番組コンテンツの再生度合いに応じて付与する視聴ポイント値を変えている。このように、録画再生装置をよく利用しており、且つ番組コンテンツを有効に活用しているユーザに対してより高い視聴ポイントを与えることによって、このようなユーザを優先する。【００５４】
なお、ユーザポイントの算出に当たっては、ある番組コンテンツの再生が終わる毎に、当該番組コンテンツに対するユーザポイントを個別に算出するようにしてもよい。
また、Ｓ４１０におけるユーザポイントの総和算出も、ある番組コンテンツの再生が終わる毎に適宜行なうようにしてもよい。【００５５】
図５は、本実施例に係る第１の優先順位付け処理について説明する図である。なお、理解を容易にするために、ユーザがユーザＡとユーザＢとの２人の場合について説明するが、ユーザが３人以上の場合も同様の処理によって優先順位付けを行なうことができる。【００５６】
嗜好情報Ａは、図３に示したステップＳ３０３の処理によって抽出されたユーザＡについての嗜好情報であり、キーワードＡ−１、Ａ−２およびＡ−３を有する。なお、ユーザＡの嗜好情報は、Ａ−１、Ａ−２、Ａ−３の順に優先順位が設定されている。同様に、嗜好情報Ｂは、図３に示したステップＳ３０３の処理によって抽出されたユーザＢについての嗜好情報であり、キーワードＢ−１、Ｂ−２およびＢ−３を有する。ユーザＢの嗜好情報は、Ｂ−１、Ｂ−２、Ｂ−３の順に優先順位が設定されている。【００５７】
第１の優先順位付け処理は、ユーザポイントの高いユーザの嗜好情報に優先的に高い優先順位を付ける処理である。ここではまず、ユーザＡのユーザポイントとユーザＢのユーザポイントを比較し、その大小に応じて優先すべきユーザを選択する。【００５８】
例えば、ユーザＡのユーザポイントがユーザＢより高い場合、ユーザＡを優先させる。そして、ユーザＡの嗜好情報を先頭に、続いてユーザＢの嗜好情報をそのあとに配置する、具体的には図５に示すように、まずユーザＡの嗜好情報について、キーワードＡ−１、Ａ−２、Ａ−３の順に高い優先順位を付け、その次に、ユーザＢの嗜好情報について、キーワードＢ−１、Ｂ−２、Ｂ−３の順に高い優先順位を付ける。図５における「嗜好情報（Ａ＋Ｂ）」は、上記の手順によりユーザＡ及びユーザＢの嗜好情報を並べなおした状態を示している。図５の「嗜好情報（Ａ＋Ｂ）」では、Ａ−１、Ａ−２、Ａ−３、Ｂ−１、Ｂ−２、Ｂ−３の順序でキーワードが配列している。【００５９】
なお、嗜好情報Ａ内のキーワードの優先順位は、例えば、ステップＳ３０３におけるキーワード抽出時にキーワードの出現回数をカウントし、その出現回数の多い順にキーワードに対して優先順位を付ければよい。図５では、キーワードＡ−１、Ａ−２、Ａ−３の順に出現回数が多い場合を示している。嗜好情報Ｂについても同様である。以下、示す図６、７および９についても、同様に、同一嗜好情報内のキーワードに優先順位付けを行なえばよい。【００６０】
このようにキーワードに対して優先順位を設定した嗜好情報を用いて、番組コンテンツの録画・再生候補リストが作成される。候補リストは、電子番組表から、嗜好情報に設定されたキーワードを有する番組コンテンツを抽出することで作成される。その際、より高い優先順位が設定されたキーワードを有する番組コンテンツを、電子番組表から優先的に抽出するようにする。
そして、このように作成された候補リストを表示画面上に出力することで、ユーザは録画・再生を希望する番組コンテンツを候補リストから選択することが可能となる。この際、嗜好情報はユーザＡの嗜好を優先して順位付けされているため、候補リストに表示される番組コンテンツも、ユーザＡの嗜好を反映したものとなる。  図６は、本実施例に係る第２の優先順位付け処理について説明する図である。【００６１】
第２の優先順位付け処理は、各ユーザに対する嗜好情報から優先順位の高い順に１ずつキーワードを抽出し、ユーザポイントの高いユーザ順に抽出されたキーワードを交互に並べて優先順位を付ける処理である。【００６２】
例えば、ユーザＡのユーザポイントがユーザＢより高い場合、図６に示すように、ユーザＡに関する嗜好情報Ａから優先順位が一番のキーワードＡ−１をまず取得する。続いて、ユーザＢに関する嗜好情報Ｂから優先順位が一番のキーワードＢ−１を取得し、ユーザポイントが高いＡ−１の次にＢ−１を並べる。同様に、設定されたキーワードの優先順位と個別ユーザのユーザポイントとに応じて、キーワードＡ−２、Ｂ−２、Ａ−３、Ｂ−３の順にキーワードを並べる。図６に示す「嗜好情報（Ａ＋Ｂ）」は、上記の順序でユーザＡおよびユーザＢの嗜好情報を並べなおした状態を示している。【００６３】
図７は、本実施例に係る第３の優先順位付け処理について説明する図である。
第３の優先順位付け処理は、ユーザポイントが高いユーザの嗜好情報のみを優先的に使用する処理である。【００６４】
例えば、ユーザＡのユーザポイントがユーザＢより高い場合、図７に示すように、録画・再生候補リストの作成にはユーザＡの嗜好情報Ａのみを使用し、ユーザＢの嗜好情報Ｂは候補リスト作成には考慮されない。図７の例では、嗜好情報ＡではキーワードＡ−１、Ａ−２、Ａ−３の順に高い優先順位が付けられる。仮にユーザＢに対応する嗜好情報Ｂを候補リスト作成に反映させる場合には、例えばユーザＡの許可でユーザＢの嗜好情報Ｂに切り替えて使用する。このような構成により、ユーザＡの嗜好情報を、録画・再生コンテンツ選択により確実に反映させることができる。
（第２の実施例）
以上に説明した実施例では、嗜好情報の優先順位付けにユーザポイントを使用した例を示したが、さらに、嗜好情報のキーワード間の優先順位を決定するポイント（以下、「キーワードポイント」という）を使用してもよい。【００６５】
図８は、本実施例に係るキーワードポイントの算出についての具体例を示すフローチャートである。理解を容易にするために、ユーザがユーザＡとユーザＢとの２人の場合について説明するが、ユーザが３人以上の場合も同様の処理によって優先順位付けを行なうことができる。なお、図８に示されたフローチャートは、図３におけるＳ３０６及びＳ３０７の処理に対応するものである。【００６６】
本実施例に係る録画再生装置１００の処理の概要は、ユーザポイントを算出すると同時に、ステップＳ３０３で取得・蓄積した嗜好情報についてキーワードポイントを算出し、ステップＳ３０７においてユーザポイントとキーワードポイントから嗜好情報に対して優先順位を付ける処理を行なう。【００６７】
ステップＳ８０１において、録画再生装置１００は、ユーザＡの嗜好情報Ａから任意のキーワードを１つ選択する。以下、この選択されたキーワードを「特定キーワード」という。【００６８】
ステップＳ８０２において、録画再生装置１００は、ユーザＢの嗜好情報Ｂを参照し、ユーザＢに対応する任意のキーワードを選択する。
ステップＳ８０３において、録画再生装置１００は、嗜好情報Ｂから選択されたキーワードが、嗜好情報Ａから選択された特定キーワードと同一であるか否かを判別する。同じキーワードがある場合、処理をステップＳ８０４に移行する。そして、Ｓ８０４にて特定キーワードの「嗜好ユーザ数」を２に設定する。ここで「嗜好ユーザ数」とは、特定キーワードを選択しているユーザ数を示す情報である。【００６９】
また、ステップＳ８０３において、嗜好情報Ｂに特定キーワードと同じキーワードがないと判断された場合、録画再生装置１００は、処理をステップＳ８０５に移行する。そして、Ｓ８０５にて特定キーワードの「嗜好ユーザ数」を１に設定する。【００７０】
ステップＳ８０６において、録画再生装置１００は、嗜好情報Ａに含まれる全てのキーワードについて、ステップＳ８０１〜Ｓ８０５の処理が実施されたか否かを判別する。嗜好情報Ａに含まれる全てのキーワードについてステップＳ８０１〜Ｓ８０５の処理が実施された場合、録画再生装置１００は、処理をステップＳ８０７に移行して、嗜好情報Ａに含まれるキーワードについてのキーワードポイント算出処理を終了する。【００７１】
また、ステップＳ８０１〜Ｓ８０５の処理を実施していないキーワードが嗜好情報Ａにある場合、録画再生装置１００は処理をステップＳ８０１に移行する。そして、嗜好情報Ａに含まれ、且つ処理Ｓ８０１〜Ｓ８０５の処理を施していないキーワードについて、ステップＳ８０１〜Ｓ８０５の処理を順次行なう。【００７２】
以上に説明した処理によって、ユーザＡの嗜好情報Ａの各キーワードについて、キーワードポイントが算出される。また、ユーザＢの嗜好情報Ｂに含まれる各キーワードついてのキーワードポイントも同様の処理で算出される。３人以上のユーザがいる場合にも同様に、各ユーザの嗜好情報に含まれるキーワードについて、嗜好ユーザ数を算出する処理を行なう。  図９は、本実施例に係る優先順位付け処理について説明する図である。なお、図５〜図７と同様に、ユーザがユーザＡとユーザＢの２人の場合について説明する。【００７３】
本優先順位付け処理は、ユーザポイントとキーワードポイントとの乗算により得られる嗜好値の大きい順に、キーワードに優先順位を付ける処理である。
図９には、具体的な例として、ユーザＡのユーザポイントが３５０、キーワードＡ−１、Ａ−２およびＡ−３のキーワードポイントがそれぞれ２、２、１、ユーザＢのユーザポイントが８０、キーワードＢ−１、Ｂ−２およびＢ−３のキーワードポイントがそれぞれ２、２、１の場合について示している。【００７４】
録画再生装置１００は、ユーザ毎の嗜好情報に含まれる各キーワードに対するキーワードポイントにユーザポイントを乗算して、各キーワードの嗜好値を算出する。そして、嗜好値の高い順にキーワードを並べて優先順位を付ける。【００７５】
図９に示される「嗜好情報（Ａ＋Ｂ）」は、嗜好値を算出してキーワードを並べなおした結果を示す。図９の例では、嗜好情報Ａおよび嗜好情報Ｂに含まれるキーワードごとに嗜好値が算出される。そして、キーワードポイントの大小と嗜好値の大小に応じてキーワードの序列が決定されている。【００７６】
図９の例では、キーワードの優先順位付けにあたり、まず個々のキーワードに対するキーワードポイントを参照する。キーワードポイントが大きいキーワードは、より多くのユーザが嗜好していることを示す。そこで、図９の例では、キーワードポイントが大きいキーワードに対してより高い優先順位を与える。例えば、キーワードＡ−１、Ａ−２、Ｂ−１、Ｂ−２はキーワードポイントが２であり、他キーワードに対するキーワードポイントは１である。そのため、図９の例ではキーワードＡ−１、Ａ−２、Ｂ−１、Ｂ−２に対してより高い優先順位を与えている。【００７７】
続いて、個々のキーワードに関して嗜好値を算出し、その大小関係を比較する。図９の例では、キーワードＡ−１、Ａ−２の嗜好値はそれぞれ７００であり、キーワードＢ−１、Ｂ−２の嗜好値はそれぞれ１６０である。そのため、図９の例ではキーワードＡ−１、Ａ−２の優先順位を、キーワードＢ−１、Ｂ−２の優先順位より高くしている。なお、キーワードＡ−１とＡ−２とは、互いの嗜好値が同一である。この場合、両者の嗜好度合いは同程度と考えることができるが、キーワードポイントや嗜好値以外の基準を用いて、さらに両者間の優先順位を決めるようにしてもよい。これは、キーワードＢ−１とＢ−２との関係についても同様である。【００７８】
キーワードＡ−３は、嗜好値がキーワードＢ−１、Ｂ−２よりも大きいが、先に説明したようにキーワードポイントが「１」であるため、キーワードＢ−１、Ｂ−２よりも低い優先順位が設定されている。【００７９】
図１０は、本実施例に係る録画再生装置１００の録画処理について説明するフローチャートである。
ステップＳ１００１において、リモコン受信部２１０が録画予約指示を受付けると、録画再生装置１００は、録画予約処理を開始する。そして、処理をステップＳ１００２に移行する。【００８０】
ステップＳ１００２において、録画再生装置１００は、嗜好情報をキーワードとしておすすめ番組を検索し、検索結果を録画候補としてモニタ等に表示する。
例えば、録画再生装置１００は、図３のステップＳ３０７で優先順位付けられた嗜好情報を参照し、この嗜好情報の一部または全部をキーワードとして、ＥＰＧを検索する。そして、録画再生装置１００は、当該キーワードを含む番組コンテンツ名を取得し、取得した番組コンテンツを上記優先順位に応じて並び替えたリストを生成する。このリストを「録画候補リスト」という。そして、録画再生装置１００は、録画候補リストをモニタ等の表示画面上に表示する。【００８１】
なお、録画候補リストのみを表示するのではなく、ＥＰＧを曜日別・時系列に表示してもよいのは当然である。録画候補リストやＥＰＧの表示方法について限定するものではない。【００８２】
ステップＳ１００３において、録画再生装置１００は、ユーザにより録画候補リスト（またはＥＰＧ表示）から任意の番組タイトルが選択されると、選択された番組コンテンツについて録画予約の設定を行なう。【００８３】
ステップＳ１００４において、録画再生装置１００は、ステップＳ１００３で選択された番組タイトルに関する番組情報からキーワードを抽出して、識別されたユーザ毎に嗜好情報を生成・更新する。【００８４】
例えば、録画再生装置１００は、あらかじめ取得しておいたＥＰＧから、ステップＳ１００３で選択された番組コンテンツに関する情報を取得する。そして、ＥＰＧから取得した情報から、例えば、出演者名、ジャンル等のキーワードを嗜好情報として抽出し記憶する。【００８５】
ステップＳ１００５において、録画再生装置１００は、ステップＳ１００３で設定された録画予約にしたがって録画を実行する。指定された番組コンテンツの録画が完了すると、番組タイトル毎にコンテンツ長を記憶する。【００８６】
なお、ステップＳ１００１において、直接録画指示を行なってもよい。その場合、録画再生装置１００は、処理をステップＳ１００５に移行し、例えば、現在受信している番組コンテンツの録画を直ちに開始する。【００８７】
図１１は、本実施例に係る録画再生装置１００の再生処理について説明するフローチャートである。
ステップＳ１１０１において、リモコン受信部２１０が再生指示を受付けると、録画再生装置１００は、再生処理を開始する。そして、処理をステップＳ１１０２に移行する。【００８８】
ステップＳ１１０２において、録画再生装置１００は、嗜好情報をキーワードとしておすすめ番組を検索し、検索結果からプレイリストを生成し、モニタ等に表示する。
例えば、録画再生装置１００は、図３のステップＳ３０７で優先順位付けられた嗜好情報を参照し、この嗜好情報の番組コンテンツと一致する番組コンテンツについて、ハードディスクドライブ２０７を検索する。そして、録画再生装置１００は、取得した番組コンテンツを上記優先順位に応じて並び替えてプレイリストを生成する。そして、録画再生装置１００は、プレイリストをモニタ等の表示画面上に表示する。【００８９】
ステップＳ１１０３において、録画再生装置１００は、ユーザによりプレイリストから任意の番組タイトルが選択されると、選択された番組タイトルに関する番組情報からキーワードを抽出して、識別されたユーザについての嗜好情報を生成・更新する。【００９０】
例えば、録画再生装置１００は、あらかじめ取得しておいたＥＰＧから、選択された番組コンテンツに関する情報を取得する。そして、ＥＰＧから取得した情報から、例えば、出演者名、ジャンル等のキーワードを嗜好情報として抽出し記憶する。【００９１】
ステップＳ１１０４において、録画再生装置１００は、ステップＳ１１０１で選択された録画済みの番組タイトルをハードディスクドライブ２０７から読み出し、ディスプレイ等の表示装置に出力して再生処理を行なう。【００９２】
この時、録画再生装置１００は、番組タイトルの再生時間を記憶する。そして、番組タイトル毎に再生割合を算出する。そして、ステップＳ１００５で取得したコンテンツ長とともに、番組タイトル毎に再生割合を記憶装置に、ユーザ毎に対応付けて記憶する。  なお、上述したステップＳ１１０３の処理は、図３では省略されているが、必要に応じて、図３に示したフローチャートに追加してもよい。【００９３】
以上に説明したように、録画再生装置１００は、操作情報で特定される番組コンテンツに関する番組情報から嗜好情報を生成するので、特別な操作をすることなく各ユーザの嗜好情報を収集蓄積することが可能となる。【００９４】
そして、録画再生装置１００は、番組コンテンツの録画・再生等の処理によって得られる操作結果情報からユーザポイントを算出し、このユーザポイントに応じて嗜好情報に優先順位付けを行なってプレイリスト等を表示するので、どのユーザにとっても満足度の高いコンテンツを提示することが可能となる。【００９５】
さらに、嗜好ユーザ数に応じてキーワードポイントを算出し、嗜好情報のキーワード間の優先順位に応じたプレイリスト等を表示することで、より多くのユーザの嗜好に合致する番組コンテンツを提示することが可能となる。【００９６】
その結果、特定の番組コンテンツに対して特別な嗜好を有さないユーザに対しても、有用と思われるＴＶ番組やＡＶコンテンツを積極的に提供することが可能となる。
また、録画再生装置１００が利用されるほど、嗜好情報が蓄積され、ユーザポイントも加算されていくので、長く録画再生装置１００を使用するほどユーザの嗜好に合う番組コンテンツを提供することが可能となる。
【図１】
2009069172.tif 000003
【図２】
2009069172.tif 000004
【図３】
2009069172.tif 000005
【図４】
2009069172.tif 000006
【図５】
2009069172.tif 000007
【図６】
2009069172.tif 000008
【図７】
2009069172.tif 000009
【図８】
2009069172.tif 000010
【図９】
2009069172.tif 000011
【図１０】
2009069172.tif 000012
【図１１】
2009069172.tif 000013
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
任意の番組コンテンツを受信して録画あるいは再生を行なう録画再生装置において、
特定の番組コンテンツに対する録画あるいは再生の操作に関する操作情報を取得する操作情報取得手段と、
ユーザを識別するユーザ識別情報からユーザの識別を行なうユーザ識別手段と、
前記操作情報で特定される番組コンテンツに関連する番組情報からキーワードを抽出し、前記ユーザ毎に前記キーワードからなる嗜好情報を生成する嗜好情報生成手段と、
前記操作情報にしたがって録画・再生処理を行なった結果得られる操作結果情報を取得する操作結果情報取得手段と、
前記操作結果情報から前記ユーザ間の優先順位を決定するユーザポイントを算出するユーザポイント算出手段と、
該ユーザポイントに応じて前記嗜好情報に優先順位を決定する嗜好情報順位付け手段と、
を備える録画再生装置。
【請求項２】
前記優先順位の順に前記嗜好情報内のキーワードと一致、または該キーワードを番組情報に含む番組コンテンツを検索し、検出した番組コンテンツを前記優先順位にしたがって表示装置に出力する出力手段、
をさらに備える請求項１に記載の録画再生装置。
【請求項３】
前記操作結果情報には、前記ユーザによる操作により録画された番組コンテンツの録画時間と、該録画時間に対する視聴時間の割合と、を少なくとも含む、
ことを特徴とする請求項１に記載の録画再生装置。
【請求項４】
前記嗜好情報間でキーワードを比較し、該比較の結果に応じて前記キーワード毎のポイントであるキーワードポイントを算出するキーワードポイント算出手段、
をさらに備え、
前記優先順位付け手段は、前記ユーザポイントと前記キーワードポイントとに応じて前記番組情報に優先順位を付ける、
ことを特徴とする請求項１に記載の録画再生装置。
【請求項５】
前記嗜好情報には、前記ユーザによる操作により指定された番組情報のジャンルまたは出演者が少なくとも含まれる、
ことを特徴とする請求項４に記載の録画再生装置。
【請求項６】
前記優先順位付け手段は、前記ユーザポイントに前記嗜好ポイントを乗算して得る嗜好値が高い順に優先順位を付ける、
ことを特徴とする請求項５に記載の録画再生装置。
【請求項７】
複数のユーザが指定した番組情報について録画・再生を行なう録画再生装置において、前記ユーザ毎の嗜好情報に優先順位を付ける方法であって、
特定の番組コンテンツに対する録画・再生の操作に関する操作情報を取得する処理と、
ユーザを識別するユーザ識別情報からユーザの識別を行なう処理と、
前記操作情報で特定される番組コンテンツに関連する番組情報からキーワードを抽出し、前記ユーザ毎に前記キーワードからなる嗜好情報を生成する処理と、
前記操作情報にしたがって録画・再生処理を行なった結果得られる操作結果情報を取得する処理と、
前記操作結果情報から前記ユーザ間の優先順位を決定するユーザポイントを算出する処理と、
該ユーザポイントに応じて前記嗜好情報に優先順位を決定する処理と、
を録画再生装置に行なわせる方法。
【請求項８】
前記嗜好情報間でキーワードを比較し、該比較の結果に応じて前記キーワード毎のポイントであるキーワードポイントを算出する処理、
をさらに録画再生装置に行なわせて、
前記ユーザポイントと前記嗜好ポイントとに応じて前記番組情報に優先順位を付ける、
ことを特徴とする請求項７に記載の方法。
【請求項９】
複数のユーザが指定した番組情報について録画・再生を行なう録画再生装置において、前記ユーザ毎の嗜好情報に優先順位を付けさせるためのプログラムであって、
特定の番組コンテンツに対する録画・再生の操作に関する操作情報を取得する処理ステップと、
ユーザを識別するユーザ識別情報からユーザの識別を行なう処理ステップと、
前記操作情報で特定される番組コンテンツに関連する番組情報からキーワードを抽出し、前記ユーザ毎に前記キーワードからなる嗜好情報を生成する処理ステップと、
前記操作情報にしたがって録画・再生処理を行なった結果得られる操作結果情報を取得する処理ステップと、
前記操作結果情報から前記ユーザ間の優先順位を決定するユーザポイントを算出する処理ステップと、
該ユーザポイントに応じて前記嗜好情報に優先順位を決定する処理ステップと、
を情報処理装置に行なわせるプログラム。
【請求項１０】
前記嗜好情報間でキーワードを比較し、該比較の結果に応じて前記キーワード毎のポイントであるキーワードポイントを算出する処理ステップ、
をさらに情報処理装置に行なわせて、
前記ユーザポイントと前記嗜好ポイントとに応じて前記番組情報に優先順位を付ける、
ことを特徴とする請求項９に記載のプログラム。
【請求項１１】
ユーザの嗜好に関する情報を用いて、録画あるいは再生の候補となるコンテンツのリストを生成する録画再生装置であって、
前記ユーザを識別する手段と、
該識別されたユーザによるコンテンツの録画・再生状況を判別する手段と、
該判別された録画・再生状況に応じて、前記識別されたユーザに対するユーザポイントを付加する手段と、
前記ユーザ毎の嗜好情報を記録する手段と、
前記ユーザ毎に付加されたユーザポイントを比較して、該比較結果に基づいてユーザ毎の嗜好情報に対する順位付けを行なう手段と、
該順位付けされた嗜好情報に基づいて前記コンテンツのリストを生成する手段と、を有することを特徴とする録画再生装置。
【請求項１２】
前記録画再生装置において、
前記記録する手段を参照して、前記嗜好情報を記録しているユーザ数を判別する手段をさらに備え、
前記順位付けを行なう手段は、前記判別されたユーザ数が多い嗜好情報により高い優先順位を与えるよう動作することを特徴とする請求項１１に記載の録画再生装置。
【国際調査報告】
2009069172.tif 000014
2009069172.tif 000015